(57)【要約】【課題】 １回だけ記録可能な記録媒体及び前記記録媒体上の欠陥領域を管理する方法及び装置を提供する。【解決手段】 前記方法は、データをデータ領域に記録する際、前記データ領域内に存在する欠陥領域を検査し、欠陥領域が検出されると、欠陥領域に記録すべきデータをデータ領域内の別の領域に記録し、前記欠陥領域に関する欠陥管理情報を少なくとも一つの記録媒体上の欠陥管理領域に記録することを特徴とする。
2006500722.tif 000002
【特許請求の範囲】
【請求項１】
（ａ）データをデータ領域に記録する際、前記データ領域内に存在する欠陥領域を検査するステップと、
（ｂ）欠陥領域が検出されると、欠陥領域に記録すべきデータをデータ領域内の別の領域に記録するステップと、
（ｃ）前記欠陥領域に関わる欠陥管理情報を少なくとも一つの記録媒体上の欠陥管理領域に記録するステップと
を含むことを特徴とするデータ領域を含む１回だけ記録可能な記録媒体における欠陥領域の管理方法。
【請求項２】
（ｄ）第１のデータの記録動作中に、データ領域内の第１の記録領域上にデータのクラスタを記録するステップであって、前記それぞれのデータのクラスタは、第１の記録領域内の複数のクラスタのいずれかに記録されるステップを更に含み、
前記（ａ）ステップでは、前記それぞれのクラスタ領域に対し、記録されたデータを調査し、前記調査した結果に基づき、当該クラスタが欠陥領域であるか否かを判断することを特徴とする請求項１に記載の１回だけ記録可能な記録媒体における欠陥領域の管理方法。
【請求項３】
前記（ｂ）ステップでは、仮に当該クラスタが欠陥領域であると判断されると、第１の記録領域内の当該クラスタ内に記録されたデータをデータ領域内の別のクラスタに記録することを特徴とする請求項２に記載の１回だけ記録可能な記録媒体における欠陥領域の管理方法。
【請求項４】
前記（ｃ）ステップでは、第１のデータの記録動作によるステップ（ｂ）が完了した後、第１の記録領域内の全ての欠陥領域に関わる欠陥管理情報を記録媒体上の少なくとも一つの欠陥管理領域に記録することを特徴とする請求項３に記載の１回だけ記録可能な記録媒体における欠陥領域の管理方法。
【請求項５】
前記（ｃ）ステップにおいて、欠陥管理情報は、複数の欠陥リストを含み、前記それぞれの欠陥リストは、データ領域内の複数の記録領域のいずれかに関わっていることを特徴とする請求項１に記載の１回だけ記録可能な記録媒体における欠陥領域の管理方法。
【請求項６】
前記欠陥リストは、データの記録動作により、データ領域の全体に散在して記録されていることを特徴とする請求項５に記載の１回だけ記録可能な記録媒体における欠陥領域の管理方法。
【請求項７】
前記記録媒体は、データ領域内に予め割り当てられたスペア領域を含むことを特徴とする請求項６に記載の１回だけ記録可能な記録媒体における欠陥領域の管理方法。
【請求項８】
前記（ｂ）ステップにおいて、前記データ領域内の別の領域とは、予め割り当てられたスペア領域を意味することを特徴とする請求項７に記載の１回だけ記録可能な記録媒体における欠陥領域の管理方法。
【請求項９】
前記それぞれの欠陥リストは、以前の欠陥リストと現在の欠陥リストを含む、累積的に記録された欠陥リストであることを特徴とする請求項６に記載の１回だけ記録可能な記録媒体における欠陥領域の管理方法。
【請求項１０】
前記（ｃ）ステップにおいて、前記記録媒体上の少なくとも一つの欠陥管理領域は、データ領域内に予め割り当てられたスペア領域の一部分であることを特徴とする請求項１に記載の１回だけ記録可能な記録媒体における欠陥領域の管理方法。
【請求項１１】
前記予め割り当てられたスペア領域は、データ領域の先頭に位置するインナー・スペア領域（ＩＳＡ）であるか、またはデータ領域の末尾に位置するアウター・スペア領域（ＯＳＡ）であることを特徴とする請求項１０に記載の１回だけ記録可能な記録媒体における欠陥領域の管理方法。
【請求項１２】
前記（ｂ）ステップにおいて、前記データ領域内の別の領域とは、予め割り当てられたスペア領域を意味することを特徴とする請求項１０に記載の１回だけ記録可能な記録媒体における欠陥領域の管理方法。
【請求項１３】
前記（ｃ）ステップにおいて、前記欠陥管理情報は、複数の欠陥リストを含み、それぞれの欠陥リストは、データ領域内の複数の記録領域のいずれかに関わっており、それぞれの欠陥リストは、以前の欠陥リストと現在の欠陥リストを含む累積的な欠陥リストであることを特徴とする請求項１０に記載の１回だけ記録可能な記録媒体における欠陥領域の管理方法。
【請求項１４】
前記（ｃ）ステップにおいて、前記記録媒体上の少なくとも一つの欠陥管理領域は、データ領域の外であることを特徴とする請求項１に記載の１回だけ記録可能な記録媒体における欠陥領域の管理方法。
【請求項１５】
前記欠陥管理情報は、欠陥領域の位置情報とステップ（ｂ）において用いられたデータ領域内の別の領域の位置情報を含むことを特徴とする請求項１に記載の１回だけ記録可能な記録媒体における欠陥領域の管理方法。
【請求項１６】
（ｅ）記録媒体のリードイン領域上にディスク定義構造（ＤＤＳ）情報を記録し、前記ディスク定義構造（ＤＤＳ）情報には、欠陥管理情報に関わる位置情報を記録するステップを更に含むことを特徴とする請求項１に記載の１回だけ記録可能な記録媒体における欠陥領域の管理方法。
【請求項１７】
前記記録媒体は、１回だけ記録可能なブルーレイディスク（ＢＤ−ＷＯ）であることを特徴とする請求項１に記載の１回だけ記録可能な記録媒体における欠陥領域の管理方法。
【請求項１８】
スペア領域を備えたデータ領域と、リードイン領域を含む１回だけ記録可能な記録媒体において、
（ａ）データをデータ領域に記録する際、前記データ領域内に存在する欠陥領域を検査するステップと、
（ｂ）欠陥領域が検出されると、欠陥領域に記録すべきデータをスペア領域上に記録するステップと、
（ｃ）前記欠陥領域に関わる欠陥リスト情報をリードイン領域上に記録するステップと
を含むことを特徴とする１回だけ記録可能な記録媒体における欠陥領域の管理方法。
【請求項１９】
前記記録媒体は、１回だけ記録可能なブルーレイディスク（ＢＤ−ＷＯ）であることを特徴とする請求項１８に記載の１回だけ記録可能な記録媒体における欠陥領域の管理方法。
【請求項２０】
前記（ｃ）ステップにおいて、前記欠陥リスト情報は、複数の欠陥リストを含み、それぞれの欠陥リストは、データ領域内の複数の記録領域のいずれかに関わっており、それぞれの欠陥リストは、以前の欠陥リストと現在の欠陥リストを含む累積的な欠陥リストであることを特徴とする請求項１８に記載の１回だけ記録可能な記録媒体における欠陥領域の管理方法。
【請求項２１】
記録領域、代替領域、少なくとも一つの欠陥管理領域を含むデータ領域を備え、
データが前記記録領域に記録された後に、前記記録媒体内のデータ領域内に存在する欠陥領域が検査され、
欠陥領域が検出されると、欠陥領域に記録すべきデータが代替領域内に記録され、
前記欠陥領域に関わる欠陥管理情報が前記少なくとも一つの欠陥管理領域内に記録されることを特徴とする１回だけ記録可能な記録媒体。
【請求項２２】
前記記録領域は、複数のクラスタ領域を含み、
第１データの記録動作中に、データのクラスタが前記記録領域上に記録され、それぞれのデータのクラスタは、記録領域内の複数のクラスタのいずれかに記録され、
前記それぞれのクラスタ領域に対し記録されたデータは、当該クラスタが欠陥領域であるか否かを判断するために調査されることを特徴とする請求項２１に記載の１回だけ記録可能な記録媒体。
【請求項２３】
当該クラスタが欠陥領域であると判断されると、前記記録領域内の当該クラスタ内に記録されたデータは、データ領域内の別のクラスタ内に記録されることを特徴とする請求項２２に記載の１回だけ記録可能な記録媒体。
【請求項２４】
記録領域内の全ての欠陥領域に関わる欠陥管理情報は、記録媒体上の少なくとも一つの欠陥管理領域内に記録されることを特徴とする請求項２３に記載の１回だけ記録可能な記録媒体。
【請求項２５】
前記欠陥管理情報は、複数の欠陥リストを含み、前記それぞれの欠陥リストは、データ領域内の複数の記録領域のいずれかに関わっていることを特徴とする請求項２１に記載の１回だけ記録可能な記録媒体。
【請求項２６】
前記欠陥リストは、データの記録動作によりデータ領域の全体に散在して記録されていることを特徴とする請求項２５に記載の１回だけ記録可能な記録媒体。
【請求項２７】
前記記録媒体は、データ領域内に予め割り当てられたスペア領域を含むことを特徴とする請求項２６に記載の１回だけ記録可能な記録媒体。
【請求項２８】
前記代替領域は、予め割り当てられたスペア領域を意味することを特徴とする請求項２７に記載の１回だけ記録可能な記録媒体。
【請求項２９】
前記それぞれの欠陥リストは、前欠陥リストと現欠陥リストを含み、累積的に記録された欠陥リストであることを特徴とする請求項２６に記載の１回だけ記録可能な記録媒体。
【請求項３０】
前記記録媒体上の少なくとも一つの欠陥管理領域は、データ領域内に予め割り当てられたスペア領域の一部分であることを特徴とする請求項２１に記載の１回だけ記録可能な記録媒体。
【請求項３１】
前記予め割り当てられたスペア領域は、データ領域の先頭に位置するインナー・スペア領域（ＩＳＡ）であるか、またはデータ領域の末尾に位置するアウター・スペア領域（ＯＳＡ）であることを特徴とする請求項３０に記載の１回だけ記録可能な記録媒体。
【請求項３２】
前記データ領域内の代替領域とは、予め割り当てられたスペア領域を意味することを特徴とする請求項３０に記載の１回だけ記録可能な記録媒体。
【請求項３３】
前記欠陥管理情報は、複数の欠陥リストを含み、それぞれの欠陥リストは、データ領域内の複数の記録領域のいずれかに関わっており、それぞれの欠陥リストは、前欠陥リストと現欠陥リストを含む累積的な欠陥リストであることを特徴とする請求項３０に記載の１回だけ記録可能な記録媒体。
【請求項３４】
前記記録媒体上の少なくとも一つの欠陥管理領域は、データ領域の外であることを特徴とする請求項２１に記載の１回だけ記録可能な記録媒体。
【請求項３５】
前記欠陥管理情報は、欠陥領域の位置情報と代替領域の位置情報を含むことを特徴とする請求項２１に記載の１回だけ記録可能な記録媒体。
【請求項３６】
データ領域の外に位置し、欠陥管理情報に関わる位置情報を記録するディスク定義構造（ＤＤＳ）情報を含む、リードイン領域を更に含むことを特徴とする請求項２１に記載の１回だけ記録可能な記録媒体。
【請求項３７】
前記記録媒体は、１回だけ記録可能なブルーレイディスク（ＢＤ−ＷＯ）であることを特徴とする請求項２１に記載の１回だけ記録可能な記録媒体。
【請求項３８】
スペア領域を備えたデータ領域と、リードイン領域を備え、
データが前記データ領域に記録された後に、前記記録媒体内のデータ領域内に存在する欠陥領域が検査され、
欠陥領域が検出されると、欠陥領域に記録すべきデータがスペア領域内に記録され、
前記欠陥領域に関わる欠陥リスト情報がリードイン領域内に記録されることを特徴とする１回だけ記録可能な記録媒体。
【請求項３９】
前記記録媒体は、１回だけ記録可能なブルーレイディスク（ＢＤ−ＷＯ）であることを特徴とする請求項３８に記載の１回だけ記録可能な記録媒体。
【請求項４０】
前記欠陥リスト情報は、複数の欠陥リストを含み、それぞれの欠陥リストは、データ領域内の複数の記録領域のいずれかに関わっており、それぞれの欠陥リストは、前欠陥リストと現欠陥リストを含む累積的な欠陥リストであることを特徴とする請求項３８に記載の１回だけ記録可能な記録媒体。
【請求項４１】
データをデータ領域に記録する際、前記データ領域内に存在する欠陥領域を検出する手段と、
欠陥領域が検出されると、欠陥領域に記録すべきデータをデータ領域内の別の領域に記録する手段と、
前記欠陥領域に関する欠陥管理情報を少なくとも一つの記録媒体上の欠陥管理領域に記録する手段と
を含むことを特徴とするデータ領域を含む１回だけ記録可能な記録媒体内の欠陥領域の管理装置。
【請求項４２】
スペア領域を備えたデータ領域と、リードイン領域を含む１回だけ記録可能な記録媒体において、
データをデータ領域に記録する際、前記データ領域内に存在する欠陥領域を検出する手段と、
欠陥領域が検出されると、欠陥領域に記録すべきデータをスペア領域上に記録する手段と、
前記欠陥領域に関わる欠陥リスト情報をリードイン領域上に記録する手段と
を含むことを特徴とする１回だけ記録可能な記録媒体の欠陥領域の管理装置。
【発明の詳細な説明】
【技術分野】
【０００１】
本発明は、１回だけ記録可能な（追記型）ブルーレイディスク（ＢＤ−ＷＯ）のような１回記録型光ディスクと、１回記録型光ディスクにおける欠陥領域の管理方法及び装置に関するものである。
【背景技術】
【０００２】
書き換えが可能なブルーレイディスク（ＢＤ−ＲＥ）のような新しいタイプの高密度光ディスクが開発されている。ＢＤ−ＲＥの特長は、高画質のビデオデータと高音質のオーディオデータを記録したり、消去したり、または繰り返して書き換えができるという点である。
【０００３】
図１は、ＢＤ−ＲＥのような光ディスクにデータを読み書きすることができる一般の装置を示す図である。同図に示すように、光ディスク装置は、光ディスク１０に信号を読み書きするための光ピックアップ１１と、前記光ピックアップ１１で読み込まれた信号を再生信号へと信号処理したり、または外部から入力されるデータストリームを記録に適した記録信号に変調及び信号処理するＶＤＲ（Ｖｉｄｅｏ Ｄｉｓｃ Ｒｅｃｏｒｄｅｒ）システム１２と、外部から入力されるアナログ信号をエンコードし、前記ＶＤＲシステム１２に出力するエンコーダー１３とを備えている。
【０００４】
図２は、ＢＤ−ＲＥの構造を示す図である。同図に示すように、ＢＤ−ＲＥディスクは、リードイン領域（ＬＩＡ）と、データ領域と、リードアウト領域（ＬＯＡ）とに区画されている。データ領域の先頭と末尾には、インナー・スペア領域（ＩＳＡ）とアウター・スペア領域（ＯＳＡ）がそれぞれ割り当てられている。
【０００５】
図１及び図２に示すように、光ディスク装置のＶＤＲシステム１２は、外部からの入力データを記録に適した記録信号にエンコードし変調した後、所定の記録の大きさを有するエラー訂正ブロック（ＥＣＣ）単位に対応するクラスタ単位で記録する。
【０００６】
データを記録する途中にＢＤ−ＲＥのデータ領域に欠陥領域が存在する場合、ＶＤＲシステム１２は、その欠陥領域に記録されたクラスタ単位のデータをスペア領域、例えば、インナー・スペア領域（ＩＳＡ）に代替記録するといった一連の代替記録動作を行う。したがって、ＶＤＲシステム１２は、ＢＤ−ＲＥのデータ領域に欠陥領域があればその欠陥領域をスペア領域に予め代替してそこにデータを記録するので、データの記録エラーを事前に防止することができる。
【０００７】
１回だけ記録可能なブルーレイディスク（ＢＤ−ＷＯ）は、光ディスクに高品質のデータを記録したり、光ディスクに記録されているデータを再生することができる別の新しいタイプの高密度光ディスクである。その名称から類推できるように、ＢＤ−ＷＯディスクは、数回繰り返して再生することは可能であるが、データの記録は１回のみ可能であり、何度も書き換えることはできない。
【０００８】
ＢＤ−ＷＯは、未だ開発の初期段階であるため、ＢＤ−ＷＯの商業的実現に必要とされるＢＤ−ＷＯにおける欠陥領域の管理方法及び装置の案が設定されておらず、また、ディスクの構造と具体的な実現方法も用意されていないのが実状である。
【発明の開示】
【発明が解決しようとする課題】
【０００９】
本発明は、上記のような事情を考慮してなされたもので、その目的は、ＢＤ−ＷＯのような１回だけ記録可能な光ディスクを提供するとともに、１回だけ記録可能な光ディスクにおける欠陥領域の効率的な管理方法及び装置を提供することである。
【課題を解決するための手段】
【００１０】
前記目的を達成するための、本発明に係る１回だけ記録可能な記録媒体における欠陥領域の管理方法は、（ａ）データをデータ領域に記録する際、前記データ領域内に存在する欠陥領域を検査するステップと、（ｂ）欠陥領域が検出されると、欠陥領域に記録すべきデータをデータ領域内の別の領域に記録するステップと、（ｃ）前記欠陥領域に関する欠陥管理情報を少なくとも一つの記録媒体上の欠陥管理領域に記録するステップとを含むことを特徴とする。
【００１１】
本発明に係る１回だけ記録可能な記録媒体における更なる欠陥領域の管理方法は、スペア領域を備えたデータ領域と、リードイン領域を含む１回だけ記録可能な記録媒体において、（ａ）データをデータ領域に記録する際、前記データ領域内に存在する欠陥領域を検査するステップと、（ｂ）欠陥領域が検出されると、欠陥領域に記録すべきデータをスペア領域上に記録するステップと、（ｃ）前記欠陥領域に関する欠陥リスト情報をリードイン領域上に記録するステップとを含むことを特徴とする。
【００１２】
本発明に係る１回だけ記録可能な記録媒体は、記録領域、代替領域、少なくとも一つの欠陥管理領域を含むデータ領域を備え、データが前記記録領域に記録された後に、前記記録媒体内のデータ領域内に存在する欠陥領域を検査し、欠陥領域が検出されると、欠陥領域に記録すべきデータが代替領域内に記録され、前記欠陥領域に関する欠陥管理情報が前記少なくとも一つの欠陥管理領域内に記録されることを特徴とする。
【００１３】
また、本発明に係る１回だけ記録可能な記録媒体は、スペア領域を備えたデータ領域とリードイン領域とを備え、データが前記データ領域に記録された後に、前記記録媒体内のデータ領域内に存在する欠陥領域を検査し、欠陥領域が検出されると、欠陥領域に記録すべきデータがスペア領域内に記録され、前記欠陥領域に関する欠陥リスト情報がリードイン領域内に記録されることを特徴とする。
【００１４】
本発明に係る１回だけ記録可能な記録媒体における欠陥領域の管理装置は、記録媒体内にはデータ領域が備えられており、データをデータ領域に記録する際、前記データ領域内に存在する欠陥領域を検出する手段と、欠陥領域が検出されると、欠陥領域に記録すべきデータをデータ領域内の別の領域に記録する手段と、前記欠陥領域に関する欠陥管理情報を少なくとも一つの記録媒体上の欠陥管理領域に記録する手段とを含むことを特徴とする。
【００１５】
本発明に係る１回だけ記録可能な記録媒体における更なる欠陥領域の管理装置は、スペア領域を備えたデータ領域と、リードイン領域を含む１回だけ記録可能な記録媒体にデータをデータ領域に記録する際、前記データ領域内に存在する欠陥領域を検出する手段と、欠陥領域が検出されると、欠陥領域に記録すべきデータをスペア領域上に記録する手段と、前記欠陥領域に関する欠陥リスト情報をリードイン領域上に記録する手段とを含むことを特徴とする。
【００１６】
本発明に係る上述した課題を解決するための手段と後述する例は、本発明を説明するための一つの典型的で例示的なものである。
【発明を実施するための最良の形態】
【００１７】
以下、図面を参照して本発明の実施形態について、添付の図面に基づいて詳細に説明する。
【００１８】
図３は、本発明に係る光ディスクの記録再生装置２０を示したブロック図である。光ディスクの記録再生装置２０は、記録媒体２１にデータを記録したり記録媒体からデータを読み込むピックアップ２２と、ピックアップの対物レンズと記録媒体２１との間隔を一定に保持し、記録媒体２１上のトラックをトラッキングサーボし、一定に保持するサーボ２３と、ピックアップで読み込んだ信号を処理したり、記録のためにピックアップに入力すべき信号を信号処理するデータプロセッサ２４と、外部ホスト３０とのデータ及び／またはコマンドをやり取りするインターフェイス２５と、記録媒体２１に関わる欠陥管理データを含む情報とデータを格納するメモリまたはストレージ２７と、記録再生装置２０の各構成要素の動作を制御するマイコンまたは制御部２６とを含む。記録媒体２１に記録したり記録媒体２１から読み込んだりするデータは、メモリ２７に格納され、光記録再生装置２０内の全ての構成要素は、連動可能に相互接続されている。前記記録媒体２１は、ＢＤ−ＷＯのような１回だけ記録可能な記録媒体である。
【００１９】
図４Ａと図４Ｂは、それぞれ本発明における、ＢＤ−ＷＯのような１回だけ記録可能な光ディスクの二つのタイプを示した図である。同図から分かるように、ＢＤ−ＷＯは、一つ、または二つの記録層を有する。
【００２０】
図４Ａは、一つの記録層（Ｌａｙｅｒ０）を有するＢＤ−ＷＯ構造であって、一つの記録層は、リードイン領域（ＬＩＡ）、データ領域、リードアウト領域（ＬＯＡ）から構成されており、このようなディスクを単層ディスクという。図４Ｂは、二つの記録層（Ｌａｙｅｒ０、１）を有するＢＤ−ＷＯ構造であって、第１の記録層（Ｌａｙｅｒ０）は、リードイン領域（ＬＩＡ）、データ領域、アウター・ゾーン（ｏｕｔｅｒ  ｚｏｎｅ）とから構成され、第２の記録層（Ｌａｙｅｒ１）は、リードアウト領域（ＬＯＡ）、データ領域、アウター・ゾーンとから構成され、このようなディスクを二層ディスクという。
【００２１】
一般に、データは、点線の矢印で示したような方向に沿って記録が行われ、単層ディスクの容量は、２３．３ギガバイト、２５ギガバイト、または２７ギガバイトを有し、二層ディスクは、４６．６ギガバイト、５０ギガバイト、または５４ギガバイトの容量を有する。
【００２２】
本発明の各種の実施形態（これについては、後述する）は、単層ＢＤ−ＷＯまたは二層ＢＤ−ＷＯのいずれのタイプのディスクにも適用可能である。更に、本発明の方法に関連して、図３に示す記録再生装置２０の活用を後述するが、本発明は、前記装置に限定されるものではなく、本発明の方法を実現する他の記録再生装置を含む。例えば、必要に応じては、本発明の方法を実現するために図１に示した装置を使用してもよい。
【００２３】
図５は、本発明の第１の実施形態によりＢＤ−ＷＯにおける欠陥領域を管理する方法を示した図である。
【００２４】
図３及び図５を参照して、本発明の第１の実施形態に係る１回だけ記録可能な光ディスクにおける欠陥領域の管理方法を説明する。光記録再生装置２０は、ＢＤ−ＷＯのデータ領域内の特定の記録セクタに連続してデータを記録する。その記録セクタは、特定の記録の大きさの欠陥検証単位（ＤＶＵ；Ｄｅｆｅｃｔ  Ｖｅｒｉｆｙ  Ｕｎｉｔ、以下、“ＤＶＵ”と称す）に設定されるが、そのＤＶＵの大きさは、少なくとも一つの物理的トラック、またはクラスタと同一である。
【００２５】
連続してＤＶＵにデータを記録した後（Ｒｅｃｏｒｄｉｎｇ１）、マイコン２６は、ピックアップ２２を制御して、記録した領域（Ｒｅｃｏｒｄｉｎｇ１）内における欠陥領域の検査過程を行う。欠陥領域の検査方法は、ＤＶＵに記録されたデータを再生する過程と、ＤＶＵに記録したデータが正常に記録されたか否かを検証する過程を含む。前記検証過程は、例えば、ＤＶＵから再生するデータとＤＶＵに本来に記録しようとしたデータとを比較する過程により行われる。仮に、検証過程で特定のデータが正常に記録されていないと判断されると、記録再生装置２０は、ＤＶＵ内に欠陥領域があると推定し、欠陥領域に記録したデータをリニア交替を用いて次の有効な記録領域に書き換える。
【００２６】
例えば、１番目から５番目までのクラスタ（Ｃｌｕｓｔｅｒ＃１〜Ｃｌｕｓｔｅｒ＃５）をＤＶＵ＃１にして連続的に記録した後（Ｓ１０ステップ）、マイコン２６は、ピックアップ２２を介してＤＶＵ＃１内に記録されたデータを順次（例えば、クラスタ単位で）再生し、再生したデータから当該領域の欠陥有無を検査する。例えば、仮に、２番目のクラスタ（Ｃｌｕｓｔｅｒ＃２）が欠陥領域と判断されると（Ｓ１１ステップ）、マイコンは、データプロセッサ２４とピックアップ２２を介して代替記録動作を制御する。代替記録動作では、２番目のクラスタ（Ｃｌｕｓｔｅｒ＃２）に記録されたデータ（これは、メモリ２７、または他のストレージなどに仮格納されている）を、クラスタ＃５以降に連続する領域に記録する（Ｓ１２ステップ）。
【００２７】
前記クラスタ＃２を代替記録する過程が完了すると、光記録再生装置２０は、次のクラスタを確認するというようにしてＤＶＵ＃１内の全てのクラスタを確認する。例えば、仮に、４番目のクラスタ（Ｃｌｕｓｔｅｒ＃４）が欠陥領域と判断されると（Ｓ１３ステップ）、光記録再生装置２０は、前述した代替記録動作と同様にクラスタ＃４に記録されたデータを次の有効なクラスタに代替記録する。次の有効なクラスタは、先に代替記録したクラスタ＃２以降に連続するクラスタになる（Ｓ１４ステップ）。
【００２８】
代替記録動作は、ＤＶＵ内の全ての欠陥クラスタ上のデータを別のクラスタ領域（代替領域）に代替記録するまで続けられる。その結果、例えば、ＤＶＵ＃１は、結果的にクラスタ＃１、＃３、＃５と二つの欠陥クラスタ（元のクラスタ＃２、＃４）と、リニア交替を用いて二つの欠陥領域を代替させた代替記録領域を有するようになる。
【００２９】
記録区間（Ｒｅｃｏｒｄｉｎｇ１）におけるデータの記録が完了すると（これは、ＤＶＵ＃１、ＤＶＵ＃２、・・・、ＤＶＵ＃ｎに対する欠陥領域の検査動作と代替記録動作を含む）、マイコン２６は、最後のＤＶＵ（ＤＶＵ＃ｎ）に続く領域３２に管理情報を記録する。
【００３０】
管理情報は、ＢＤ−ＷＯデータ領域内の欠陥領域を管理し、また、欠陥領域に対応する代替領域上に記録されたデータを管理するのに用いられる。管理情報は、欠陥リスト（ＤＦＬ）情報で管理される。ＤＦＬ情報内には一つ、または複数の欠陥エントリ（Ｄｅｆｅｃｔ＿Ｅｎｔｒｙ＃１〜Ｄｅｆｅｃｔ＿Ｅｎｔｒｙ＃ｍ）を含む。それぞれの欠陥エントリは、欠陥領域に対する１番目の物理的セクタ番号（ＰＳＮ  ｏｆ  Ｄｅｆｅｃｔｉｖｅ）と、代替記録された領域の１番目の物理的セクタ番号（ＰＳＮ  ｏｆ  Ｒｅｐｌａｃｅｍｅｎｔ）とその他の関連する情報を有している。
【００３１】
記録区間（Ｒｅｃｏｒｄｉｎｇ１）におけるＤＦＬ情報の記録が完了すると、光記録再生装置２０は、次の記録区間（例えば、Ｒｅｃｏｒｄｉｎｇ２）における記録動作を引き続き行う。次の記録区間（Ｒｅｃｏｒｄｉｎｇ２）における記録動作（これは、前述と同様に、Ｒｅｃｏｒｄｉｎｇ２内の全てのＤＶＵに対する欠陥領域の検査動作と代替記録動作を含む）が完了すると、前記記録区間（Ｒｅｃｏｒｄｉｎｇ２）のための管理情報を最後のＤＶＵに続く領域３３に記録する。この過程は、ＢＤ−ＷＯのデータ領域内に全てのデータが正常に記録されるまで反復して行われる。
【００３２】
また、管理情報（ＤＦＬ）に速やかにアクセスするために、マイコン２６は、速やかなアクセスのための情報をＢＤ−ＷＯ内の別の領域に書き込むように構成されている。例えば、速やかなアクセスのための情報は、ＤＦＬが記録された領域の１番目の物理的セクタ番号（ＰＳＮ  ｏｆ  Ｄｅｆｅｃｔ  Ｌｉｓｔ）を含んでおり、これは、ＢＤ−ＷＯリードイン領域（ＬＩＡ）内にディスク定義構造（ＤＤＳ：Ｄｉｓｃ  Ｄｅｆｉｎｉｔｉｏｎ  Ｓｔｒｕｃｔｕｒｅ）として記録される。即ち、ＤＤＳの一部分としてＤＦＬ＃１の物理的セクタ番号（即ち、ａｒｅａ３２）とＤＦＬ＃２の物理的セクタ番号（即ち、ａｒｅａ３３）などのような情報を格納する。即ち、言い換えれば、全ての欠陥リスト（ＤＦＬ＃１〜ＤＦＬ＃ｉ）をデータ領域内に散在させて記録した場合、それぞれのＤＦＬ位置情報（例えば、ＰＳＮ（物理的セクタ番号））をリードイン領域（ＬＩＡ）内のＤＤＳの一部分として格納することを意味する。前記のように構成させることによって、データを再生する動作中に、記録再生装置は、リードイン領域（ＬＩＡ）内のＤＤＳ情報によりＢＤ−ＷＯのデータ領域内のＤＦＬの位置を読み出すことができ、これによりＤＦＬの位置をサーチし、ＤＦＬ情報から欠陥領域の代わりに、代替領域に記録されたデータを再生することができるようになる。
【００３３】
上述した図５に示したような本発明の第１の実施形態は、ＢＤ−ＷＯのデータ領域内にスペア領域が予め割り当てられていない場合である。また、ＤＦＬが記録動作の間にデータ領域の全域に散在している。
【００３４】
図６Ａと図６Ｂは、本発明の第１の変形例であって、ＢＤ−ＷＯにおける欠陥領域を管理する方法を示した図である。第１の実施形態の変形は、ＢＤ−ＷＯ内に固定された大きさで最初に割り当てられるインナー・スペア領域（ＩＳＡ）またはアウター・スペア領域（ＯＳＡ）を含んでいるという点で第１の実施形態と相違し、他は、第１の実施形態（図５）と同一である。本例では、データ領域の末尾にアウター・スペア領域（ＯＳＡ）を割り当てた場合を示した。
【００３５】
スペア領域（ＯＳＡ３４）は、固定された大きさに予め割り当てられるが、データの読み書き中にスペア領域の使用の必要性に応じてその大きさを変えることができる。即ち、例えば、データ領域内で欠陥領域が増大すれば、データの記録動作によりスペア領域へデータが押し込まれ、予め割り当てられていたスペア領域の大きさが減少するためである。すなわち、スペア領域の大きさを小さくすることができる。即ち、第１の実施形態の変形例においては、スペア領域は、データの記録動作のために割り当てられて用いられる指定された余裕領域を意味し、リニア交替により欠陥領域のデータが代替記録される代替領域として使用されることではない。
【００３６】
例えば、図６Ａ及び図６Ｂに示したように、欠陥領域の検査動作と代替記録動作を継続して行うことにより、代替記録領域の大きさ（例えば、クラスタ＃２、＃４の大きさ）とＤＦＬの記録の大きさの分、データ領域の記録の大きさ（ＯＳＡ３４を除き）が小さくなる。このような観点から、仮にユーザーデータ領域（ＯＳＡ３４を除く領域）内の最後のデータの記録位置が最初に割り当てられたＯＳＡ３４の開始位置に侵入しなければ、データ領域（ＯＳＡ３４を除く）の記録の大きさは、最初と同一になる。しかしながら、仮にユーザーデータ領域内の最後のデータの記録位置が予め割り当てたＯＳＡ３４の開始位置を超えるとすれば、データ領域（ＯＳＡ３４を除く）の記録の大きさが増大し、ＯＳＡ３４の大きさは小さくなる。
【００３７】
したがって、大きさを縮小させることができるＯＳＡ３４を割り当てて活用することにより、光記録再生装置２０は、データの記録を開始する前の記録可能なデータ容量と、実際の記録時における欠陥領域の存在により縮小させられた記録可能なデータ容量との間で発生するエラーを最小にすることができる。
【００３８】
図７は、本発明の第２の実施形態によりＢＤ−ＷＯにおける欠陥領域を管理する方法を示した図である。第２の実施形態では、ＢＤ−ＷＯ内には、データ領域の先頭及び末尾に、スペア領域として割り当てられたＩＳＡ及び／またはＯＳＡを含んでいる。図７では、例えば、アウター・スペア領域（ＯＳＡ３５）が割り当てられた場合を示した。第２の実施形態において割り当てられたＯＳＡ３５は、第１の実施形態（図６Ａ、図６Ｂ）で割り当てられたＯＳＡ３４とは相違する性格を有する。第２の実施形態のスペア領域（ＯＳＡ３５）は、欠陥領域に対しリニア交替により代替記録される代替領域として活用される。第２の実施形態におけるスペア領域は、大きさを変えることができるようになっているが、固定された大きさとして割り当てることも可能である。
【００３９】
図７を参照すれば、光記録再生装置２０は、ＤＶＵ＃１内の１番目から５番目までのクラスタ（Ｃｌｕｓｔｅｒ＃１〜Ｃｌｕｓｔｅｒ＃５）にデータを記録した後（Ｓ１０ステップ）、欠陥領域の検査動作と代替記録動作を行う。仮に、２番目のクラスタ（Ｃｌｕｓｔｅｒ＃２）が欠陥領域と判断されると、２番目のクラスタ内のデータをリニア交替によりＯＳＡ３５内の特定の領域３５ａに記録する（Ｓ２２ステップ）。続いて、仮に４番目のクラスタ（Ｃｌｕｓｔｅｒ＃４）が欠陥領域と判断されると、４番目のクラスタ内のデータをリニア交替によりＯＳＡ３５内の特定の領域３５ｂに記録する（Ｓ２４ステップ）。即ち、それぞれのＤＶＵから検出された欠陥領域のデータは、リニア交替によりＯＳＡ３５内の特定の領域に記録される。
【００４０】
結果として、本例では、ＤＶＵ＃１は、正常にデータが記録された第１、第３、第５のクラスタ（Ｃｌｕｓｔｅｒ＃１、＃３、＃５）と二つの欠陥領域クラスタ（Ｃｌｕｓｔｅｒ＃２、＃４）を有し、ＯＳＡ３５内の特定の領域３５ａ、３５ｂには、前記欠陥領域のクラスタ（Ｃｌｕｓｔｅｒ＃２、＃４）に記録されるデータと同一のデータを記録する。
【００４１】
第１の実施形態と同様に、第２の実施形態においても記録区間（例えば、Ｒｅｃｏｒｄｉｎｇ１、Ｒｅｃｏｒｄｉｎｇ２など）毎に記録が完了すると、データ領域の全域内に管理情報を散在させて記録する。例えば、記録再生装置２０は、記録区間（Ｒｅｃｏｒｄｉｎｇ１）の最後のＤＶＵの後ろにある領域３２に管理情報としてＤＦＬを記録する。管理情報（ＤＦＬ）を記録する動作と管理情報に速やかにアクセスするためのアクセス情報をＤＤＳ内に記録する動作は、前述した第１の実施形態の場合と同一である。
【００４２】
図８は、本発明の第３の実施形態によりＢＤ−ＷＯにおける欠陥領域を管理する方法を示した図である。第３の実施形態は、第２の実施形態と同一であるが、ＤＦＬを記録するに際してデータ領域内にそれを散在させて記録せず、代わりに割り当てられたスペア領域（ＩＳＡまたはＯＳＡ）内に記録するという点で相違している。
【００４３】
図８に示したように、例えば、記録区間（例えば、Ｒｅｃｏｒｄｉｎｇ１）毎に記録が完了すると、記録再生装置２０は、完了した記録動作に対応するＤＦＬをＯＳＡ３５内に記録する。したがって、全ての記録区間（Ｒｅｃｏｒｄｉｎｇ１、Ｒｅｃｏｒｄｉｎｇ２、・・・）に対応する全てのＤＦＬがスペア領域（ＯＳＡ３５）に格納される。更に、ＯＳＡ３５は、欠陥領域に記録されたデータと同一のデータを記録する代替領域としての機能も有する。即ち、ＯＳＡ３５のように一つの領域内にＤＦＬを有し、またＯＳＡ３５内に全ての代替領域を有することにより、ＤＤＳとＤＦＬを用いて所望の代替領域の位置を探し出す過程をより速やかに行うことができるようになる。
【００４４】
図９は、本発明の第４の実施形態によりＢＤ−ＷＯにおける欠陥領域を管理する方法を示した図である。第４の実施形態は、第３の実施形態と同一であるが、ＤＦＬを記録するに際してＤＦＬを記録する位置がデータ領域ではない特定の領域、例えば、リードイン領域（ＬＩＡ）に記録するという点で相違している。
【００４５】
図９に示したように、例えば、記録区間（例えば、Ｒｅｃｏｒｄｉｎｇ１）毎に記録が完了すると、記録再生装置２０は、完了した記録動作に対応するＤＦＬをリードイン領域（ＬＩＡ）内に記録する。したがって、全ての記録区間（Ｒｅｃｏｒｄｉｎｇ１、Ｒｅｃｏｒｄｉｎｇ２、・・・）に対応する全てのＤＦＬがリードイン領域（ＬＩＡ）に格納される。リードイン領域（ＬＩＡ）内には、ＤＦＬのみならず、前記実施形態で述べたＤＤＳも格納される。ＯＳＡ３５は、欠陥領域に記録されたデータと同一のデータを記録する代替領域としての機能を依然として有する。即ち、リードイン領域（ＬＩＡ）のように一つの領域内にＤＦＬを有し、ＯＳＡ３５内に全ての代替領域を有し、ＤＦＬ及びＤＤＳのいずれもリードイン領域（ＬＩＡ）内に有することにより、ＤＤＳとＤＦＬを用いて所望の代替領域の位置を探し出す過程をより速やかに行うことができるようになる。
【００４６】
図１０Ａ、図１０Ｂ、図１０Ｃは、本発明の第５の実施形態によりＢＤ−ＷＯにおける欠陥領域を管理する方法を、例を挙げて示した図である。特に、第５の実施形態は、前述した第１〜第４の実施形態とは異なり、ＤＦＬを累積的に記録する方法に係る。即ち、第５の実施形態例によるＤＦＬの累積記録方法は、前述した第１〜第４の実施形態のそれぞれに適用可能である。
【００４７】
第５の実施形態による一つの例として、図１０Ａは、前述した第１〜第２の実施形態（図５〜図７）に適用されるＤＦＬの累積記録方法を示した図である。図１０Ａによる場合、１番目の記録区間（例えば、Ｒｅｃｏｒｄｉｎｇ１）における記録が完了すると、記録再生装置２０は、完了した記録動作に対応するＤＦＬ＃１をデータ領域内のＤＦＬ領域３７に記録する。既に第１〜第２の実施形態で述べたように、前記１番目のＤＦＬ領域３７は、１番目の記録区間（Ｒｅｃｏｒｄｉｎｇ１）の最後のＤＶＵに続く領域に相当する。次いで、記録再生装置２０は、２番目の記録区間（即ち、Ｒｅｃｏｒｄｉｎｇ２）における記録動作を行い、２番目の記録区間における記録動作が完了すると、記録再生装置２０は、完了した記録動作に対応するＤＦＬ＃２と前のＤＦＬ＃１を一緒にデータ領域内のＤＦＬ領域３８に記録する。既に第１〜第２の実施形態で述べたように、前記２番目のＤＦＬ領域３８は、２番目の記録区間（Ｒｅｃｏｒｄｉｎｇ２）の最後のＤＶＵに続く領域に相当する。次いで、記録再生装置２０は、３番目の記録区間（即ち、Ｒｅｃｏｒｄｉｎｇ３）における記録動作を行い、３番目の記録区間における記録動作が完了すると、記録再生装置２０は、完了した記録動作に対応するＤＦＬ＃３と前のＤＦＬ＃１及びＤＦＬ＃２を一緒にデータ領域内のＤＦＬ領域３９に記録する。既に第１〜第２の実施形態で述べたように、前記３番目のＤＦＬ領域３９は、３番目の記録区間（Ｒｅｃｏｒｄｉｎｇ３）の最後のＤＶＵに続く領域に相当する。このような過程は、データの記録動作の過程で連続して行われ、結果的に、前記ＤＦＬは、データの継続した記録動作に伴い、累積的に記録される。
【００４８】
第５の実施形態に係る別の例として、図１０Ｂは、前述した第３の実施形態（図８）に適用されるＤＦＬの累積記録方法を示した図である。第３の実施形態（図８）は、ＤＦＬをＯＳＡ３５内に記録する方式である。図１０Ｂによる場合、１番目の記録区間（例えば、Ｒｅｃｏｒｄｉｎｇ１）における記録が完了すると、記録再生装置２０は、完了した記録動作に対応するＤＦＬ＃１をＯＳＡ３５内の特定のＤＦＬ領域３５ｄに記録する。次いで、記録再生装置２０は、２番目の記録区間（即ち、Ｒｅｃｏｒｄｉｎｇ２）における記録動作を行い、第２番目の記録区間における記録動作が完了すると、記録再生装置２０は、完了した記録動作に対応するＤＦＬ＃２と前のＤＦＬ＃１を一緒にＯＳＡ３５内の特定のＤＦＬ領域３５ｅに記録する。本例では、前記２番目のＤＦＬ領域３５ｅは、１番目のＤＦＬ領域３５ｄと隣り合っている。次いで、記録再生装置２０は、３番目の記録区間（即ち、Ｒｅｃｏｒｄｉｎｇ３）における記録動作を行い、３番目の記録区間における記録動作が完了すると、記録再生装置２０は、完了した記録動作に対応するＤＦＬ＃３と前のＤＦＬ＃１とＤＦＬ＃２を一緒にＯＳＡ３５内の特定のＤＦＬ領域３５ｆに記録する。本例では、前記３番目のＤＦＬ領域３５ｆは、２番目のＤＦＬ領域３５ｅと隣り合っている。このような過程は、データの記録動作の過程において連続して行われ、結果的に、前記ＤＦＬは、データの継続した記録動作に伴い、スペア領域に累積的に記録される。
【００４９】
第５の実施形態に係る他の例として、第１０Ｃは、前述した第４の実施形態（図９）に適用されるＤＦＬの累積記録方法を示した図である。第３の実施形態（図９）は、ＤＦＬをデータ領域以外の領域、即ち、例えば、リードイン領域（ＬＩＡ３６）内に記録する方式である。図１０Ｃによる場合、１番目の記録区間（例えば、Ｒｅｃｏｒｄｉｎｇ１）における記録が完了すると、記録再生装置２０は、完了した記録動作に対応するＤＦＬ＃１をリードイン領域（ＬＩＡ３６）内の特定のＤＦＬ領域３６ａに記録する。次いで、記録再生装置２０は、２番目の記録区間（即ち、Ｒｅｃｏｒｄｉｎｇ２）における記録動作を行い、２番目の記録区間における記録動作が完了すると、記録再生装置２０は、完了した記録動作に対応するＤＦＬ＃２と前のＤＦＬ＃１を一緒にリードイン領域（ＬＩＡ３６）内の特定のＤＦＬ領域３６ｂに記録する。本例では、前記２番目のＤＦＬ領域３６ｂは、１番目のＤＦＬ領域３６ａと隣り合っている。次いで、記録再生装置２０は、３番目の記録区間（即ち、Ｒｅｃｏｒｄｉｎｇ３）における記録動作を行い、３番目の記録区間における記録動作が完了すると、記録再生装置２０は、完了した記録動作に対応するＤＦＬ＃３と前のＤＦＬ＃１とＤＦＬ＃２を一緒にリードイン領域（ＬＩＡ３６）内の特定のＤＦＬ領域３６ｃに記録する。本例では、前記３番目のＤＦＬ領域３６ｃは、２番目のＤＦＬ領域３６ｂと隣り合っている。このような過程は、データの記録動作の過程において連続して行われ、結果的に、前記ＤＦＬは、データの継続した記録動作に伴い、リードイン領域（ＬＩＡ）内に累積的に記録される。
【００５０】
第５の実施形態による場合、データ領域またはスペア領域或いはリードイン領域内に最後に記録されたＤＦＬをアクセスすることにより、記録動作中において関連する全てのＤＦＬに対し容易に且つ速やかにアクセスできる。したがって、１番目の記録区間（Ｒｅｃｏｒｄｉｎｇ１）に対応して記録されたＤＦＬ＃１を正常に読み込むことができなくても、ＤＦＬ＃１に記録された情報は、連続する次のＤＦＬ情報を読み込むことで獲得可能になる。これは、ＤＦＬの損傷による再生エラーの発生を防止または最小化する。
【００５１】
欠陥リスト（ＤＦＬ）情報を管理し、累積的に記録する方法に対する応用は、上述した図３〜図９に示した本発明の実施形態の他にも欠陥リスト（ＤＦＬ）を記録し管理する他の例にも拡張適用できることは自明である。
【００５２】
本発明におけるデータの再生動作は、データの記録動作と同時に、或いはその後に続いて、或いはデータの記録動作の前に行うことが可能である。前記データの記録動作は、欠陥検査動作及び／または代替記録動作及び／または管理情報の記録動作と同時に、或いはその後に続けて、或いはその前に行うことができる。
【００５３】
以上、本発明の好適な実施形態について図示し説明したが、本発明は、上述した実施形態に限定されるものではなく、特許請求の範囲で請求する本発明の要旨と思想を逸脱することなく多様な変更、または変形的な使用が可能であることは、当該発明の属する技術分野の当業者にとっては自明である。したがって、本発明の特許請求の範囲及びその範囲内での変形的な使用は、本発明に属するということを明らかにする。
【００５４】
また、添付した図は、実施形態と共に発明の理解を高めるためのものであって、発明内容の一部として含まれ、また、本発明の実施形態及び概念を説明するために提供する。
産業上の利用可能性
【００５５】
本発明に係る１回だけ記録可能な光ディスクにおける欠陥領域の管理方法及び装置により、ＢＤ―ＷＯのような光ディスク内の欠陥領域に記録されたデータを正常に再生することが可能になり、特に、データの再生は、欠陥領域の代わりに、スペア領域或いは別のデータ領域にデータを記録し、欠陥領域に関わるデータ及び欠陥管理情報を効率よく管理することにより行われる。また、本発明は、記録媒体における記録前に記録可能な容量と、欠陥領域により減少した実際の記録可能なデータ領域の容量との間で発生するエラーを最小化することができ、欠陥リスト（ＤＦＬ）の損傷による再生エラーの発生を最小化することも可能である。
【図面の簡単な説明】
【００５６】
【図１】一般の光ディスク装置に係る構成を概略的に示した図である。
【図２】一般の書き換え可能なブルーレイディスク（ＢＤ−ＲＥ）の構造を示した図である。
【図３】本発明に係る光ディスクの記録再生装置を示したブロック図である。
【図４】本発明に係る１回だけ記録可能な単層ブルーレイディスク（ＢＤ−ＷＯ）と二層ブルーレイディスク（ＢＤ−ＷＯ）の構造をそれぞれ示した図である。
【図５】本発明に係る１回だけ記録可能なブルーレイディスク（ＢＤ−ＷＯ）の欠陥領域の管理方法に係る第１の実施形態を示した図である。
【図６Ａ】本発明に係る１回だけ記録可能なブルーレイディスク（ＢＤ−ＷＯ）の欠陥領域の管理方法に係る第１の実施形態の変形を示した図である。
【図６Ｂ】本発明係る１回だけ記録可能なブルーレイディスク（ＢＤ−ＷＯ）の欠陥領域の管理方法に係る第１の実施形態の変形を示した図である。
【図７】本発明に係る１回だけ記録可能なブルーレイディスク（ＢＤ−ＷＯ）の欠陥領域の管理方法に係る第２の実施例を示した図である。
【図８】本発明に係る１回だけ記録可能なブルーレイディスク（ＢＤ−ＷＯ）の欠陥領域の管理方法に係る第３の実施例を示した図である。
【図９】本発明に係る１回だけ記録可能なブルーレイディスク（ＢＤ−ＷＯ）の欠陥領域の管理方法に係る第４の実施例を示した図である。
【図１０Ａ】本発明に係る１回だけ記録可能なブルーレイディスク（ＢＤ−ＷＯ）の欠陥領域の管理方法に係る第５の実施形態を示した図である。
【図１０Ｂ】本発明に係る１回だけ記録可能なブルーレイディスク（ＢＤ−ＷＯ）の欠陥領域の管理方法に係る第５の実施形態を示した図である。
【図１０Ｃ】本発明に係る１回だけ記録可能なブルーレイディスク（ＢＤ−ＷＯ）の欠陥領域の管理方法に係る第５の実施形態を示した図である。
【符号の説明】
【００５７】
２０ 光ディスク記録再生装置、２１ 記録媒体、２２ ピックアップ、２３ サーボ、２４ データプロセッサ、２５ インターフェイス、２６ 制御部、２７ ストレージ、３０ 外部ホスト
【図１】
2006500722.tif 000003
【図２】
2006500722.tif 000004
【図３】
2006500722.tif 000005
【図４】
2006500722.tif 000006
【図５】
2006500722.tif 000007
【図６Ａ】
2006500722.tif 000008
【図６Ｂ】
2006500722.tif 000009
【図７】
2006500722.tif 000010
【図８】
2006500722.tif 000011
【図９】
2006500722.tif 000012
【図１０Ａ】
2006500722.tif 000013
【図１０Ｂ】
2006500722.tif 000014
【図１０Ｃ】
2006500722.tif 000015
【国際調査報告】
2006500722.tif 000016
2006500722.tif 000017